(57)【要約】【課題】  単一波長にピークのある紫外線光源を用いても鮮明な画像が得られるブラックライト用の画像を提供すること。【解決手段】  可視光を反射する画像と紫外線に反応して発光するブラックライト・インクを用いて描かれた画像とを含む対象画像に対し、紫外線光源のための発光ＬＥＤと、可視光源のための発光ＬＥＤとにそれぞれ異なる照射時間とタイミングとで電力を提供する発光ＬＥＤ制御装置を備えているので、簡便に且つ安価に精度よく、映像効果を高める画像提供装置を提供する。【選択図】図２
2009186945.tif 000002
【特許請求の範囲】
【請求項１】
紫外線光に反応して発光するブラックライト・インクを用いて描かれた画像であって、前記画像は特定の単一波長の紫外線光に対して光の三原色である赤色、緑色、青色の発光エネルギーが同程度に発光する３種類のブラックライト・インクを用いて構成した画像を含む、ブラックライト用の画像。
【請求項２】
可視光を反射する画像と、
紫外線光に反応して発光するブラックライト・インクを用いて描かれた画像と、
が共通の面に形成された画像であって、
前記画像は、特定の単一の紫外線光に対して光の三原色である赤色、緑色、青色の発光エネルギーが同程度に発光する３種類のブラックライト・インクを用いて構成した画像を含む、ブラックライト用の画像。
【請求項３】
可視光を反射する画像もしくは紫外線光に反応して発光するブラックライト・インクを用いて描かれた画像の少なくとも一方がインクジェットプリンタにより作成されたものであることを特徴とする、請求項１または請求項２に記載のブラックライト用の画像
【請求項４】
可視光を反射する画像と紫外線に反応して発光するブラックライト・インクを用いて描かれた画像とを含む対象画像と、
前記対象画像に対して紫外線を照射する紫外線光源と、
前記対象画像に対して可視光を照射する可視光源と、
を含み、
前記可視光源および前記紫外線光源はそれぞれ発光ＬＥＤが使用され、
前記可視光源および前記紫外線光源のための発光ＬＥＤに対し、それぞれ異なる照射時間とタイミングとで電力を提供する発光ＬＥＤ制御装置を備えた、画像提供装置。
【請求項５】
前記可視光源の少なくとも一部が自然光を用いた光源を含む、請求項４に記載の画像提供装置。
【請求項６】
特定の単一波長の紫外線光に対して光の三原色である赤色、緑色、青色の発光エネルギーが同程度に発光する赤色、緑色、青色の３種類の発光要素を含む、ブラックライト・インクを用いて描かれた画像を構成するための、ブラックライト・インク。
【発明の詳細な説明】
【技術分野】
【０００１】  本発明は、インクジェット式プリンタ等により作成された可視光を反射する画像と紫外線に反応して発光するいわゆるブラックライト・インクを用いて描かれた画像とを含むブラックライト用の画像および対象画像に光源を照射し映像効果を高める画像提供装置に関する。
【背景技術】
【０００２】  近年、照明装置特に発光ＬＥＤや、この発光ＬＥＤを用いた照明技術の進歩により、コンピュータを用いて光の３原色の光源を独立して制御し、壁などに設けた対象画像に照射してインテリアや室内装飾効果を高める装置が使用されるようになった。また一方で、紫外線光（ブラックライト）励起により発光するブラックライト・インクが発明され、これらのブラックライト・インクなどの色材を用いて画像を対象画像に描き、インテリアや室内装飾効果を高めることが可能となった。ブラックライトアートは、このようなブラックライト・インクを用いて描かれた画像であり、通常光では何も見えない白い壁面がブラックライトを照射することで幻想的で美しい非日常空間に変化する特殊アートが好まれるようになってきた。この紫外線光を照射する照明としてはＵＶ蛍光灯やＵＶ水銀灯などが従来使われている。このような照明では３００ｎｍ〜４００ｎｍの波長の光を連続的に放出する特性がある。しかしながら、３５０ｎｍ以下の波長の光は日焼けなどを加速するため必ずしも人体に影響がないとはいえないものであった。このため近年では、３５０ｎｍ以下の波長を使用しない紫外線発光ＬＥＤがブラックライトとして使用されるようになった。この紫外線発光ＬＥＤは３６５ｎｍや３７５ｎｍなどの特定の単一波長にピークを有する光源である。特許文献１は、ブラックライト・インクを用いて描かれた画像の構成を示す発明であり、非特許文献１は紫外線発光ＬＥＤがブラックライトとして使用されるブラックライトアート表現の例を示すものである。
【特許文献１】  特開２００２−３６３４５５号公報
【非特許文献１】  ビジナビＮｏ／３０  ２００８年１月発行
【発明の開示】
【発明が解決しようとする課題】
【０００３】  従来のブラックライトアートに使われてきたブラックライト・インクは、３００ｎｍ〜４００ｎｍの波長の光を連続的に放出する特性のＵＶ蛍光灯やＵＶ水銀灯を対象にしていたため、ひろい波長域の中に赤、青、緑色の発光ピークがあれば使用に耐えるものであった。しかし紫外線発光ＬＥＤは３６５ｎｍや３７５ｎｍなどの特定の単一波長にピークを有する光源に対しては、発光エネルギーが異なり、例えば緑色、青色は奇麗に発光するが、赤色はたとえば反応する光源の波長のピークが３２０ｎｍであったりするとほとんど発光ない。したがって従来の３００ｎｍ〜４００ｎｍの波長の光を連続的に放出する特性がある蛍光灯では奇麗に発光するが、紫外線発光ＬＥＤでは赤みの抜けた画像になってしまい鮮明な画像に見えないという問題が生じる。
また、発光ＬＥＤ等を照明として用いる場合、紫外線光源用と可視光源用とでは発光特性が異なり紫外線光源と可視光源とを関連付けて制御することが困難であったため、可視光を反射する画像と紫外線に反応して発光するいわゆるブラックライト・インクを用いて描かれた画像とを含む対象画像に光源を照射し映像効果を高める画像提供装置は実現されていなかった。【０００４】  本発明は上記実情を鑑みてなされたものであって、紫外線発光ＬＥＤ等の単一波長にピークのある紫外線光源を用いても鮮明な画像が得られるブラックライト用の画像を提供するとともに、安価に精度よく、可視光を反射する画像と紫外線に反応して発光するいわゆるブラックライト・インクを用いて描かれた画像とを含む対象画像に光源を照射し映像効果を高める画像提供装置を提供することを目的とする。
【課題を解決するための手段】
【０００５】    上記課題を解決するため本発明のブラックライト用の画像は、紫外線光に反応して発光するブラックライト・インクを用いて描かれた画像であって、画像は特定の単一波長の紫外線光に対して光の三原色である赤色、緑色、青色の発光エネルギーが同程度に発光する３種類のブラックライト・インクを用いて構成した画像を含む、構成を備える。また、さらなに、上記課題を解決するため本発明のブラックライト用の画像は、可視光を反射する画像と、紫外線光に反応して発光するブラックライト・インクを用いて描かれた画像と、が共通の面に形成された画像であって、画像は、特定の単一の紫外線光に対して光の三原色である赤色、緑色、青色の発光エネルギーが同程度に発光する３種類のブラックライト・インクを用いて構成した画像を含む、構成を備える。可視光を反射する画像もしくは紫外線光に反応して発光するブラックライト・インクを用いて描かれた画像の少なくとも一方がインクジェットプリンタにより作成されたものであってもよい。【０００６】  上記課題を解決するため本発明の画像提供装置は、可視光を反射する画像と紫外線に反応して発光するブラックライト・インクを用いて描かれた画像とを含む対象画像と、対象画像に対して紫外線を照射する紫外線光源と、対象画像に対して可視光を照射する可視光源と、を含み、可視光源および紫外線光源はそれぞれ発光ＬＥＤが使用され、可視光源および紫外線光源のための発光ＬＥＤに対し、それぞれ異なる照射時間とタイミングとで電力を提供する発光ＬＥＤ制御装置を備えた、構成を有する。また可視光源の少なくとも一部が自然光を用いた光源を含むものであってもよい。さらに上記課題を解決するため本発明のブラックライト・インクは、特定の単一波長の紫外線光に対して光の三原色である赤色、緑色、青色の発光エネルギーが同程度に発光する赤色、緑色、青色の３種類の発光要素を含む、構成である。
【発明の効果】
【０００７】  本発明によれば、画像は特定の単一波長の紫外線光に対して光の三原色である赤色、緑色、青色の発光エネルギーが同程度に発光する３種類のブラックライト・インク、さらにはこのようなブラックライト・インクを用いて構成した画像であるため、単一波長にピークのある紫外線光源を用いても鮮明な画像が得られる。また、可視光を反射する画像と紫外線に反応して発光するブラックライト・インクを用いて描かれた画像とを含む対象画像に対し、紫外線光源のための発光ＬＥＤと、可視光源のための発光ＬＥＤとにそれぞれ異なる照射時間とタイミングとで電力を提供する発光ＬＥＤ制御装置を備えているので、簡便に且つ安価に精度よく、映像効果を高める画像提供装置を提供することができる。
【発明を実施するための最良の形態】
【０００８】    以下、本発明の一実施の形態である画像提供装置について、図面を参照しつつ説明する。図１は、本発明の一実施の形態である画像提供装置の構成図である。図２は同画像提供装置の発光ＬＥＤ制御装置の回路構成図である。図において、可視光を反射する画像１と紫外線に反応して発光するブラックライト・インクを用いて描かれた画像２とを含む対象画像３が壁面等に設けられ、この対象画像３に対して紫外線光を照射する紫外線光源４と、対象画像３に対して可視光を照射する可視光源が設けられている。そして紫外線光源４のための発光ＬＥＤと、可視光源５のための発光ＬＥＤとに対し、それぞれ異なる照射時間とタイミングとで電力を提供する発光ＬＥＤ制御装置６をそなえ、これらにより全体として画像提供装置が構成される。【０００９】  なお、画像２は、紫外線光に反応して発光するブラックライト・インクを用いて描かれた画像であり、画像１を含めてインクジェットプリンタにより作成されたものであっても良い。可視光源の少なくとも一部が自然光源をさらに利用する構成であってもよい。対象画像３は壁面等が利用さインテリアとして使用される本実施の形態の応用例としては、間仕切り、上下昇降式対象画像などが対象画像として使用が可能である。また、これらを具リーチングカード、はがき裏柄、インテリア用壁布、テーブルクロス、ブライダル衣装などにも応用可能である。【００１０】  上記発光ＬＥＤ制御装置６について、図２により詳細に説明する。可視光源５は、本実施の形態では、光の３原色である赤（Ｒ），緑（Ｇ）、青（Ｂ）の各光源５ａ，５ｂ，５ｃから構成され、各光源は対応する色Ｒ、Ｇ、Ｂに対応する色を発光する発光ＬＥＤ７，８，９を備え、また、紫外線光源のための発光ＬＥＤ１０を備える。発光ＬＥＤ制御装置６は、前記可視光源５のための発光ＬＥＤ７、８、９と紫外線光源のための発光ＬＥＤ１０に対し、それぞれ異なる照射時間とタイミングとで電力を提供する発光ＬＥＤ制御回路１１と、この発光ＬＥＤ制御回路１１に対し制御信号を与え、公知のプログラム等が可能な電子制御用等のＣＰＵを含むコンピュータ１２と、発光ＬＥＤ制御回路１１およびコンピュータ１２へ電力を供給する電源装置１３と、外部とのデータ通信や制御信号を入出力するためのＲＳ２３２Ｃ仕様やＵＳＢ仕様のインターフェイス１４とを備える。【００１１】  図３は、前記可視光源５のための発光ＬＥＤ７、８、９と紫外線光源のための発光ＬＥＤ１０に対し、それぞれ異なる照射時間とタイミングとで電力を提供している発光ＬＥＤ制御回路１１の動作状態の一例を示す説明図である。可視光源５のための発光ＬＥＤ７、８、９は電圧ＹＶで駆動され、紫外線光源のための発光ＬＥＤ１０は電圧ＸＶで駆動される。それぞれの駆動電圧は発光ＬＥＤの製造メーカの設計により異なる。公知のプログラム等が可能なコンピュータ１２からの制御信号により、発光ＬＥＤ制御回路１１は図３に一例を示すようにそれぞれ異なる照射時間ｔ１、ｔ２、ｔ３、ｔ４とタイミング（図中のＴは経過時間を表す）とで電力を提供することが可能となり、またこれにより赤（Ｒ），緑（Ｇ）、青（Ｂ）の各光源５ａ，５ｂ，５ｃと、紫外線光源のための発光ＬＥＤ１０��備える紫外線光源が独立してそれぞれ点滅するので対象画像３による画像はさまざまな変化を見せ、装飾効果等の優れたインテリアが提供される。【００１２】  次に本発明の実施の形態で使用されるブラックライト・インクと照射の用いられる紫外線光源のための発光ＬＥＤの波長との関係を説明する。図４は本発明の実施の形態におけるブラックライト・インクの発光特性と発光ＬＥＤの波長との関係を説明する説明図である。本発明の実施の形態で使用されるブラックライト・インクでは、特定の単一波長の紫外線光である、３６５ｎｍにピークを有する発光ＬＥＤ、あるいは３７５ｎｍにピークを有する発光ＬＥＤに対して光の三原色である赤色、緑色、青色の発光エネルギーが同程度に発光する赤色、緑色、青色の３種類の発光要素の、ブラックライト・インクの発光エネルギーをＲ，Ｇ，Ｂで示している。このように、単一波長にピークのある紫外線光源として３６５ｎｍにピークを有する発光ＬＥＤ、あるいは３７５ｎｍにピークを有する発光ＬＥＤを用いても、赤色、緑色、青色の発光エネルギーが同程度に発光するため、各色のバランスが崩れることなく鮮明な画像が得られる。【００１３】  そして、このような紫外線光に反応して発光するブラックライト・インクを用いて描かれた画像は単一波長にピークのある紫外線光源として３６５ｎｍにピークを有する発光ＬＥＤ、あるいは３７５ｎｍにピークを有する発光ＬＥＤを用いても、光の三原色である赤色、緑色、青色の発光エネルギーが同程度に発光する３種類のブラックライト・インクを用いて構成した画像を構成するので、赤色、緑色、青色の発光エネルギーが同程度に発光するため、各色のバランスが崩れることなく鮮明な画像となっている。【００１４】  勿論、このブラックライト用の画像は従来のＵＶ−蛍光灯の下でも、鮮明な色彩のブラックライト画像を得ることが出来、さらに光源を蛍光灯からＬＥＤに替えることにより、点灯−点滅の切り替えの早いブラックライトによる演出が可能となる。また、ＵＶ−発光ＬＥＤ使用により、紫外線の光源域の中でも、より健康上問題が少ないとされる高波長域３６５ｎｍ又は３７５ｎｍの単一波長のみでの照射利用が可能となった。従来のＵＶ−蛍光灯では、単一高波長のみの照射は不可能であった。紫外線を長時間照射する上での健康面での問題をより向上させた。【００１５】  インクジェットプリンターによりブラックライト画像の製作をすることにより、コンピューターにダウンロードさせた写真画像など、あらゆるコンピュータ画像をブラックライト画像として再現することが出来る。インクジェットプリンタによるブラックライト画像の製作により、画像の細かい描写や自然色彩により近い発光色彩をブラックライト画像上に表現させることが可能となる。また、インクジェットプリンタによるブラックライト画像の製作により、ブラックライト画像一枚から、同一画像の複数枚以上の大量製作も容易に可能となる。さらにはインクジェットプリンタによるブラックライト画像の製作は、手書き手法での、現場での（壁画や天井画製作のような）作業を必要とせず、壁紙などの基材上に印刷される為、工場生産となり、作品の移送、輸送が簡単である。そしてインクジェットプリンタによるブラックライト画像の製作手法は従来の手書きやシルクスクリーン手法に比べ、製作コストを安くすることが出来る。
【産業上の利用可能性】
【００１６】  本発明によれば優れた装飾効果等が提供可能なので、レストラン、ホテル、テーマパークなどに好適に使用可能である。
【図面の簡単な説明】
【００１７】
【図１】  本発明の一実施の形態に係る画像提供装置の構成図である。
【図２】  同画像提供装置の発行ＬＥＤ制御装置の回路構成図である。
【図３】  同画像提供装置において可視光源のための発光ＬＥＤと紫外線光源のための発光ＬＥＤに対し、それぞれ異なる照射時間とタイミングとで電力を提供している発光ＬＥＤ制御回路の動作状態の一例を示す説明図である。
【図４】  本発明の実施の形態におけるブラックライト・インクの発光特性と発光ＬＥＤの波長との関係を説明する説明図である。
【符号の説明】
【００１８】  １、可視光を反射する画像、２  紫外線光に反応して発光するブラックライト・インクを用いて描かれた画像、３  対象画像、４  紫外線光を照射する紫外線光源、５  可視光を照射する可視光源、６  ＬＥＤ制御装置、７，８，９、１０  発光ＬＥＤ、１１  発光ＬＥＤ制御回路、１２  コンピュータ。
【図１】
2009186945.tif 000003
【図２】
2009186945.tif 000004
【図３】
2009186945.tif 000005
【図４】
2009186945.tif 000006